(57)【要約】【課題】シート状作品を台紙や額縁等の部材に対して、シート状作品の角、辺に対して正確に好適な位置に貼り付けることが可能であるとともに、シート状作品の裏面にも適用することができる接着用シールを提供する。【解決手段】  シート材に描かれた写真、絵画、書画、版画等のシート状作品２０を、他の台紙その他の部材に貼着するための接着用シール１００において、粘着性を有するが容易に剥離可能な接着剤（例えば付箋紙等に使用されているもの等）が塗布されてなり、接着用シールを剥離するための剥離部を形成するための剥離部形成目安線１５ａと、直角に記載された四隅貼着目安線１５ｂと、接着用シールの短手方向の略半分の位置に記載された辺貼着目安線１５ｃと、接着用シールを長手方向に略半分に折り曲げる時の目安線となる折曲目安線１５ｄと、を備えていることを特徴とする。【選択図】図１
2020041061.tif 000002
【特許請求の範囲】
【請求項１】
シート材に描かれた写真、絵画、書画、版画等のシート状作品を、台紙その他の部材に貼着するための接着用シールにおいて、
前記接着用シールは、略直方体に形成され、
一端貼着した前記接着用シールを剥離するための剥離部を形成するための剥離部形成目安線と、
前記シート状作品の四隅に対して所定の位置に貼着するため、直角に記載された四隅貼着目安線と、
前記シート状作品の辺に対して所定の位置に貼着するため、前記接着用シールの短手方向の略半分の位置に記載された辺貼着目安線と、
前記シート状作品の裏面に貼着するため、前記接着用シールを長手方向に略半分に折り曲げる時の目安線となる折曲目安線と、
を備えていることを特徴とする接着用シール。
【請求項２】
前記接着用シールは、貼着面に保護シートを備えていることを特徴とする請求項１記載の接着用シール。
【請求項３】
前記四隅貼着目安線は、直角の角部が略直方体の辺に配置されていることを特徴とする請求項１又は２に記載の接着用シール。
【請求項４】
前記四隅貼着目安線は、直角の角部が略直方体の中心に配置されていることを特徴とする請求項１又は２に記載の接着用シール。
【請求項５】
前記剥離部形成目安線は、前記接着用シールの角に形成されていることを特徴とする請求項１から４のいずれか１項に記載の接着用シール。
【発明の詳細な説明】
【技術分野】
【０００１】
本発明は、接着用シールに関する。
【背景技術】
【０００２】
写真、絵画、書画、版画等のように紙やキャンバス等のシートに描かれた美術品や芸術品（以下「シート状作品」という。）は、硬質の台紙やマット等に貼り付けたものを額縁に入れて壁面等に飾られて鑑賞に供される。
【０００３】
このようなシート状作品を台紙等に貼り付ける際に、従来は、糊や接着剤で直接貼り付けたり、セロハンテープや両面テープ等の接着用テープを使用したりして貼り付けていた。
【０００４】
しかしながら、糊や接着剤で直接貼り付けた場合には、糊自体の成分によりシート状作品を損傷させることに加え、シート状作品を台紙等から二度と取り外すことができないという問題があった。また、接着用テープを使用した場合でも、接着用テープを剥がす際に爪等で端を引っ掻いたりすることでシート状作品にダメージを与えたりすることがあった。
【０００５】
また、一般的な接着用テープは、シート状作品等に貼り付ける際に、目安となる線がないので接着用テープを本来の位置と異なる位置に貼り付けてしまい、貼り直しをすることが多くあり、こうした作業によってもシート状作品にダメージを与えることがあった。
【発明の概要】
【発明が解決しようとする課題】
【０００６】
そこで、本発明は、写真、絵画、書画、版画等のように紙やキャンバス等のシートに描かれたシート状作品を台紙や額縁等の部材に対して、正確な位置に貼着することができ、シート状作品の角、辺に対して正確に好適な位置に貼り付けることが可能であるとともに、シート状作品の裏面にも適用することができるシート状作品用の接着用シールに関する。
【課題を解決するための手段】
【０００７】
本発明は、上述の目的を達成するために以下の手段を採った。
【０００８】
本発明にかかる接着用シールは、
シート材に描かれた写真、絵画、書画、版画等のシート状作品を、他の台紙その他の部材に貼着するための接着用シールにおいて、
前記接着用シールは、略直方体に形成され、
一端貼着した前記接着用シールを剥離するための剥離部を形成するための剥離部形成目安線と、
前記シート状作品の四隅に対して所定の位置に貼着するため、直角に記載された四隅貼着目安線と、
前記シート状作品の辺に対して所定の位置に貼着するため、前記接着用シールの短手方向の略半分の位置に記載された辺貼着目安線と、
前記シート状作品の裏面に貼着するため、前記接着用シールを長手方向に略半分に折り曲げる時の目安線となる折曲目安線と、
を備えていることを特徴とする。
【０００９】
本発明にかかる接着用シールによれば、台紙等に貼り付ける前に接着用シールに対して台紙等に貼りつかない部分、すなわち剥離部を予め設けることができるので、シート状作品を台紙に接着用シールで貼り付けた後であっても、この剥離部は台紙から浮いているので、この剥離部を掴んで容易に接着用シールを剥がすことができる。そのため、従来のようにテープの掴むところを形成するために、爪で接着用シールの端を引っ掛けてめくるという動作を行う必要がなく、台紙やマットを傷つけるおそれを低減することができる。また、予め、シート状作品の四隅の角、辺に対して適切な位置に貼り付けることができるように目安線が形成されている。したがって、接着用シールを貼りつける際に貼り付け位置を間違える可能性が低減され、貼り直しを行う回数を低減することができる。そのため、シート状作品を損傷させる可能性を低減することができる。さらに、シート状作品の裏面と台紙等を貼り付けるような場合であっても、片面接着用シールでありながら、折り曲げ目安線を目安として２つ折にすることによって、容易に両面シールのようにして貼り付けることができるようになる。
【００１０】
また、本発明にかかる接着用シールにおいて、前記接着用シールは、貼着面に保護シートを備えていることを特徴とするものであってもよい。
【００１１】
かかる構成を採用することによって、保護シートを剥がすことで容易に接着用シールとして使用することができる。また、接着用シールを長時間保存することができるようになる。
【００１２】
さらに、本発明にかかる接着用シールにおいて、前記四隅貼着目安線は、直角の角部が略直方体の辺に配置されていることを特徴とするものであってもよい。
【００１３】
かかる構成を採用することによって、四隅貼着目安線を目安にシート状作品の角部に貼り付けることで、接着用シールの全幅を利用してシート状作品の角部に貼り付けることができるため、接着用シールからシート状作品の角部をはみ出させることなく、かつより広い幅で接着用シールをシート状作品に接着することができる。
【００１４】
さらに、本発明にかかる接着用シールにおいて、前記四隅貼着目安線は、直角の角部が略直方体の中心に配置されていることを特徴とするものであってもよい。
【００１５】
かかる構成を採用することによって、接着用シールの全幅の半分の幅を使用してシート状作品の角部を貼り付けることができる。台紙やマットに対してより大きな接着面積を必要とする場合に好適である。
【００１６】
さらに、本発明にかかる接着用シールにおいて、剥離部形成目安線は、前記接着用シールの角に形成されていることを特徴とするものであってもよい。
【００１７】
かかる構成を採用することによって、剥離部が接着用シールの角に形成されるため、つかみやすく、より剥がしやすい接着用シールとすることができる。
【発明の効果】
【００１８】
本発明にかかる接着用シールによれば、一旦、シート状作品に貼り付けた場合であっても剥がしやすい接着用シールを提供することができる。
【００１９】
また、シート状作品に対して、四隅、辺及び裏面に対して適切な位置に貼着用シールを貼り付けることができるようになる。
【００２０】
さらに、台紙等に対してシート状作品の裏面を利用して貼着した場合であっても折曲目安線を目安に２つ折にすることによって、両面テープの代わりとして使用することができる。
【図面の簡単な説明】
【００２１】
【図１】図１は、実施形態にかかる接着用シール１００の構成の概略を示す図である。
【図２】図２は、実施形態にかかる接着用シール１００の別実施形態の構成の概略を示す図である。
【図３】図３は、実施形態にかかる接着用シール１００の使用方法を説明する図である。
【図４】図４は、実施形態にかかる接着用シール１００の使用方法を説明する図である。
【図５】図５は、実施形態にかかる接着用シール１００の販売形態の一例を示す図である。
【発明を実施するための形態】
【００２２】
次に、本発明にかかる接着用シール１００の実施形態について、図を参照しつつ詳細に説明する。なお、以下に説明する実施の形態及び図面は、本発明の実施形態の一部を例示するものであり、これらの構成に限定する目的に使用されるものではなく、本発明の要旨を逸脱しない範囲において適宜変更することができる。
【００２３】
図１は、実施形態にかかる接着用シール１００の概略図が示されている。
【００２４】
本実施形態にかかる接着用シール１００は、主として、写真、絵画、書画、版画等のようにシート材をベースとしたシート状作品２０を、台紙や額縁用のマット等３０（図４参照）に貼着するためのシールである。接着用シール１００は、図１Ａに示すように、全体が長方形又は正方形の四角形に形成されている。好ましくは、直方体に形成すると良い。また、接着用シール１００は、図１Ｂに示すように、片面に接着面１０ａを有する片面接着型の接着用シール１００であり、接着面１０ａは、粘着性を有するが容易に剥離可能な接着剤（例えば付箋紙等に使用されているもの等）が塗布されている。
【００２５】
接着面１０ａには、保護シート（図示しない。）が設けられ、不使用時の接着面１０ａを保護している。この保護シートから剥離することによって、接着面１０ａが露出して直ちに接着用シール１００として使用することができる。
【００２６】
接着用シール１００の接着面１０ａに対して反対側の非接着面１０ｂには、シート状作品２０に接着する際の加工や貼付位置の目安となる目安線１５が施されている。
【００２７】
目安線１５は、図１Ａに示すように、主として、剥離部形成目安線１５ａと、四隅貼着目安線１５ｂと、辺貼着目安線１５ｃと、折曲目安線１５ｄとを有している。なお、図１Ａにおいては、剥離部形成目安線１５ａは点線、四隅貼着目安線１５ｂは実線、辺貼着目安線１５ｃが一点鎖線、折曲目安線１５ｄが二点鎖線で記載しているが、あくまで理解容易のため、使い分けて記載しているものであり、これらの種類の線種に限定するものではない。
【００２８】
剥離部形成目安線１５ａは、接着用シール１００の四隅の角部の少なくとも１つ形成されている。図１においては、対角となる位置に２箇所形成されているが、勿論、すべての角に設けてもよいし、一箇所であってもよい。剥離部形成目安線１５ａは、角を三角形に折り曲げることができるように斜めに線が形成されている。剥離部形成目安線１５ａは、折り曲げる目安としての線であるので、折り曲げの目安となるような線であれば、実線、点線等特に限定するものではない。この剥離部形成目安線１５ａは、図３Ａに示すように、接着用シール１００を接着面同士が重なるように、すなわち、非接着面１０ｂ側からみて山折りとなるように二つ折りに折り曲げることにより、折り曲げられた面により接着面１０ａが封止されるので、三角形の非接着性の面が貼着面に形成されることになる。したがって、接着用シール１００を台紙やマット等３０や又はシート状作品２０に貼着した場合でも間隔計の折り曲げられた部分は接着させることがない。したがって、この三角形の部分を指でつまんで持ち上げることによって、容易に接着用シール１００を剥離することができる。そのため、接着用シール１００の全面が貼着している場合と比較して、容易に接着用シールを剥がすことができる。
【００２９】
四隅貼着目安線１５ｂは、シート状作品２０の角の四隅を台紙等に固定したい場合に使用する目安線である。この四隅貼着目安線１５ｂは、シート状作品２０の直角の角の形状に合わせて、直角となるように交差した線が付されており、この交差した線と接着用シール１００の辺とで直角三角形となるように形成されている。交差部１５ｆが接着用シールの中心になるように配置されている。このような配置とすることで、図４の接着用シール１００ａに示すように、シート状作品２０の角に対して四隅目安線１５ｂを目安に貼着することで、接着用シール１００がシート状作品２０の辺に対して４５度の角度となるように正確に貼り付けることができる。このように四隅に貼着することで、シート状作品との貼着部分に対して、大きな面積で台紙やマット等３０に接着することができる。一般的に台紙やマット等３０の方が剥がれやすいのであるが、このような四隅貼着目安線１５ｂを設けることによって、誰でもシート状作品２０と台紙やマット等３０に対して、効率的な接着面積の比率で貼り付けることができる。
【００３０】
また、四隅貼着目安線１５ｂの直角三角形の直角の角αを、図２に示すように、直方体の辺に配置してもよい。このような位置に配置することで、接着用シール１００の全幅をシート状作品２０に貼着することができる。シート状作品に対して大きな接着面積を必要とする場合に好適である。
【００３１】
辺貼着目安線１５ｃは、図４の接着用シール１００ｂに示すように、シート状作品２０の辺に対して接着するために使用する目安線であり、辺貼着目安線１５ｃは、短手側の辺から長手方向に沿って線が付されている。辺貼着目安線１５ｃは、両側の短辺を連通する１本の線で形成してもよいし、図１に示すように、両側に分離した線で形成してもよい。要するに、シート状作品２０の辺に対する位置が確認可能なように付されていればよい。この辺貼着目安線１５ｃは、台紙やマット等３０とシート状作品２０との接着面積比率に応じて、短辺の中央及びその両側とで計３本設けられている。使用者は、シート状作品２０に応じてその位置を使い分けることができる。例えば、写真等の場合は、湿気等によって湾曲しやすく、台紙に対してより大きな接着面積が必要なことが多いので、このような場合には、図４の接着用シール１００ｂのようにもっとも台紙側の接着面積が広くなるようにして使用するとよい。図４の接着用シール１００ｃに示すように、真ん中の線を使用すれば、シート状作品２０に対して接着用シール１００の半分の面積を貼り付けることができ、台紙やマット等３０と接着する面積と同等の面積を貼着することができる。かかる構成を採用することによって、シート状作品２０と台紙やマット等３０とを同様の接着力で貼り付けることができる。
【００３２】
折曲目安線１５ｄは、シート状作品２０の裏面を台紙やマット等３０に貼り付ける場合に使用する目安線である。折曲目安線１５ｄは、接着用シール１００の長手方向の中央から短手方向に線が形成されている。かかる折曲目安線１５ｄを目安に、図３Ｂに示すように、非接着面１０ｂ側からみて谷折りとなるように折り曲げることにより、接着面１０ａが両面に形成されるため、両面テープの代わりとして使用することができ、シート状作品２０の裏面と台紙やマット等とを接着することができる。このときに、図３Ｂに示すように剥離部形成目安線１５ａを非接着面１０ｂ側からみて谷折りにした後に折曲目安線１５ｄを折り曲げることによって、剥離部形成目安線１５ａによって折られた部分１５ｇと接着用シールの非接着面が貼着されるので、二つ折りに折られた状態を維持することができる。
【００３３】
このようにして作製された接着用シール１００は、図５に示すように、シール用台紙５０に複数枚添付した状態で販売され、使用時に１枚ずつ取り外して使用することができる。シール用台紙５０に取り付けられる接着用シール１００の数は特に限定するものではない。また、シール用台紙５０は経本折のように構成したり、巻物状に形成して販売したりしてもよい。
【００３４】
このように、本発明にかかる接着用シール１００によれば、剥離部形成目安線１５ａを目安に折り曲げることで、予め接着用シール１００の角部に接着しない非接着部を形成することができる。そのため、一旦、シート状作品２０や台紙やマットに接着用シール１００を接着した場合であっても、非接着部を掴むことにより容易に剥がすことができる。また、四隅貼着目安線１５ｂと、辺貼着目安線１５ｃとを目安にすることで、シート状作品２０の角部及び辺に対して、四隅貼着目安線１５ｂと、辺貼着目安線１５ｃが位置決め線として機能するので、所定の位置に正確に貼り付けることができる。また、シート状作品２０の裏面と台紙等との接着にも折曲目安線１５ｄを目安に折り曲げることで、両面側に接着面が形成され、両面テープの代わりとして使用することができる。また、上述のように形成された接着用シール１００は、中心に対して回転対称に形成されるので、接着用シール１０を１８０°回転させた状態でも同様になるので、いずれの向きであるかを気にすることなく使用することができる。
【産業上の利用可能性】
【００３５】
上述した実施の形態で示すように、特に、写真、絵画、書画、版画等のシート状作品を、他の台紙その他の部材に貼着するのに使用することができ、産業上利用可能である。
【符号の説明】
【００３６】
１０ａ…接着面、１０ｂ…非接着面、１５…目安線、１５ａ…剥離部形成目安線、１５ｂ…四隅貼着目安線、１５ｃ…辺貼着目安線、１５ｄ…折曲目安線、１５ｆ…交差部、２０…シート状作品、３０…マット等、５０…シール用台紙、１００…接着用シール、１００ａ…接着用シール、１００ｂ…接着用シール
【図１】
2020041061.tif 000003
【図２】
2020041061.tif 000004
【図３】
2020041061.tif 000005
【図４】
2020041061.tif 000006
【図５】
2020041061.tif 000007